(57)【要約】【課題】歩行者や車両の見通し確保により交通災害を防止でき、かつ美観の向上を図ることができると共に、付加価値を得ることができる仮囲いを提供すること。【解決手段】仮囲い１は、工事の対象である工事領域Ｅ１と、工事の対象でない非工事領域Ｅ２とを相互に区画する仮囲い１であり、非工事領域Ｅ２から視認可能な展示領域Ｅ３を備え、展示領域Ｅ３を、仮囲い１の角部、又は仮囲い１の平坦部の位置に、仮囲い１に沿った非工事領域Ｅ２の見通しを確保可能となるように設けた。【選択図】図１
2018111931.tif 000002
【特許請求の範囲】
【請求項１】
工事の対象である工事領域と、前記工事の対象でない非工事領域とを相互に区画する仮囲いであり、
前記非工事領域から視認可能な展示領域を備え、
前記展示領域を、仮囲いの角部、又は仮囲いの平坦部の位置に、仮囲いに沿った前記非工事領域の見通しを確保可能となるように設けた、
仮囲い。
【請求項２】
前記展示領域と前記非工事領域とを相互に区画する展示区画材を備え、
前記展示区画材が透過性を有することにより、当該展示区画材及び展示領域を介して、仮囲いに沿った前記非工事領域の見通しを確保可能とした、
請求項１に記載の仮囲い。
【請求項３】
前記工事領域と前記展示領域とを区画する背面材であって、開閉手段を有する背面材を備える、
請求項１又は２に記載の仮囲い。
【請求項４】
前記展示領域の下端に位置する下面材と、
前記展示領域の上端に位置する上面材と、
前記下面材を下方から支持する下方支持材と、
前記上面材を上方から支持する上方支持材と、を備える、
請求項１から３のいずれか一項に記載の仮囲い。
【発明の詳細な説明】
【技術分野】
【０００１】
本発明は、仮囲いに関する。
【背景技術】
【０００２】
従来、工事現場を囲う仮囲いに関して、コーナー部の見通しを確保すべく、コーナー部に透過性の部材を用いたものが提案されている（例えば、特許文献１参照）。このような特許文献１に係る仮囲いでは、透過性部材（例えば、クリアパネル）を介してコーナー部の反対側を視認可能となり、反対側の通行者や車両との衝突等といった交通災害を防止できる。
【先行技術文献】
【特許文献】
【０００３】
【特許文献１】特開平７−１３９１８９号公報
【発明の概要】
【発明が解決しようとする課題】
【０００４】
ここで、仮囲いは一般的に美観的に優れたものではなかった。上記の特許文献１に係る仮囲いのように、歩行者や車両の見通し確保により交通災害を防止できる仮囲いであっても、美観的に優れているとは言い難い。また、仮囲いは、工事領域を覆うこと以外に付加価値を有していない。そこで、交通災害を防止でき、かつ美観の向上を図ることができると共に、付加価値を得ることができる仮囲いが要望されていた。
【０００５】
本発明は、上記に鑑みてなされたものであって、歩行者や車両の見通し確保により交通災害を防止でき、かつ美観の向上を図ることができると共に、付加価値を得ることができる仮囲いを提供することを目的とする。
【課題を解決するための手段】
【０００６】
上述した課題を解決し、目的を達成するために、請求項１に記載の仮囲いは、工事の対象である工事領域と、前記工事の対象でない非工事領域とを相互に区画する仮囲いであり、前記非工事領域から視認可能な展示領域を備え、前記展示領域を、仮囲いの角部、又は仮囲いの平坦部の位置に、仮囲いに沿った前記非工事領域の見通しを確保可能となるように設けた。
【０００７】
請求項２に記載の仮囲いは、請求項１に記載の仮囲いにおいて、前記展示領域と前記非工事領域とを相互に区画する展示区画材を備え、前記展示区画材が透過性を有することにより、当該展示区画材及び展示領域を介して、仮囲いに沿った前記非工事領域の見通しを確保可能とした。
【０００８】
請求項３に記載の仮囲いは、請求項１又は２に記載の仮囲いにおいて、前記工事領域と前記展示領域とを区画する背面材であって、開閉手段を有する背面材を備える。
【０００９】
請求項４に記載の仮囲いは、請求項１から３のいずれか一項に記載の仮囲いにおいて、前記展示領域の下端に位置する下面材と、前記展示領域の上端に位置する上面材と、前記下面材を下方から支持する下方支持材と、前記上面材を上方から支持する上方支持材と、を備える。
【発明の効果】
【００１０】
請求項１に記載の仮囲いによれば、仮囲いに沿った見通しを確保しつつ、展示領域を備えるので、歩行者や車両の見通し確保により交通災害を防止でき、かつ展示による美観の向上を図ることができると共に、展示領域に展示対象物を配置することで付加価値を得ることができる。
【００１１】
請求項２に記載の仮囲いによれば、展示区画材が透過性を有するので、展示区画材及び展示領域を介して、展示領域を挟む２地点間の見通しを好適に確保できる。
【００１２】
請求項３に記載の仮囲いによれば、背面材に開閉手段を備えるので、工事領域から展示領域にアクセス可能となり、展示対象物の搬出や搬入を容易に行うことができる。
【００１３】
請求項４に記載の仮囲いによれば、下面材を下方から支持する下方支持材と、上面材を上方から支持する上方支持材を備えるので、下方支持材及び上方支持材がそれぞれ下面材及び上面材によって展示領域側に露出せず、全体的な美観が向上する。
【図面の簡単な説明】
【００１４】
【図１】本発明の実施の形態に係る仮囲いの角部周辺を示す斜視図である。
【図２】仮囲いの角部周辺を示す平面図である。
【図３】右クリアパネルを示す図であって、図３（ａ）は平面図、図３（ｂ）は側面図である。
【図４】左クリアパネルを示す図であって、図４（ａ）は平面図、図４（ｂ）は側面図である。
【図５】屋根パネルを示す図であって、図５（ａ）は平面図、図５（ｂ）は側面図である。
【図６】天井パネルを示す図であって、図６（ａ）は平面図、図６（ｂ）は側面図である。
【図７】膳板パネルを示す図であって、図７（ａ）は平面図、図７（ｂ）は側面図である。
【図８】背面パネルを示す正面図であって、図８（ａ）は左背面パネル、図８（ｂ）は中央背面パネル、図８（ｃ）は右背面パネルを示している。
【図９】第１の変形例に係る仮囲いの角部周辺を示す平面図である。
【図１０】第２の変形例に係る仮囲いの平坦部を示す平面図である。
【図１１】第３の変形例に係る仮囲いの角部周辺を示す平面図である。
【発明を実施するための形態】
【００１５】
以下に添付図面を参照して、この発明に係る仮囲いの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１６】
〔Ｉ〕実施の形態の基本的概念
まず、実施の形態の基本的概念について説明する。本実施の形態は、工事領域と非工事領域とを相互に区画する仮囲いに関する。ここで、「工事領域」とは、工事の対象である領域であり、例えば建築物が施工される予定の敷地や施工中の敷地を含む。なお、工事領域の形状は任意であるが、以下では説明の便宜上、工事領域が平面視において正方形であり、工事領域の周囲を囲うように地面の上に仮囲いが設けられている場合について説明し、工事領域の四隅周辺の仮囲いを「仮囲いの角部」、工事領域の四辺周辺の仮囲い（仮囲いの角部以外の部分）を「仮囲いの平坦部」と称する。
【００１７】
また、「非工事領域」とは、工事の対象でない領域であり、例えば工事領域の周囲の歩道や車道などを含む。なお、本実施の形態の「工事」の規模や種類は任意で、例えば建設工事に限らず水道工事なども含む。また、本実施の形態では、これらの工事領域や非工事領域に加えてさらに展示領域を備える。
【００１８】
「展示領域」とは、展示対象物を展示するための領域であって、非工事領域から視認可能な領域である。ここで、展示対象物とは、美観の向上や、付加価値の付与（例えば、情報の提供）などを目的とするものであり、例えば、季節を感じさせる装飾（例えばクリスマス用の装飾）、工事に関する情報（施工中の建築物の完成予想図や模型）、近隣とのコミュニケーションを取るための情報（作業予定、近隣住民に向けたメッセージ情報）などでもよい。
【００１９】
〔ＩＩ〕実施の形態の具体的内容
次に、実施の形態の具体的内容について説明する。
【００２０】
（構成）
図１は、本実施の形態に係る仮囲い１の角部周辺を示す斜視図、図２は、仮囲い１の角部周辺を示す平面図である。これらの図１、図２に示すように、本実施の形態に係る仮囲い１は、下地材２、仮囲いパネル３、クリアパネル４、屋根パネル５、天井パネル６、膳板パネル７、背面パネル８を備えて構成されている。ここで、以下では、必要に応じて、各図における＋Ｘ−Ｘ方向を「幅方向」と称し、特に＋Ｘ方向を「右方向」、−Ｘ方向を「左方向」と称する。また、＋Ｙ−Ｙ方向を「奥行き方向」と称し、特に＋Ｙ方向を「前方向」、−Ｙ方向を「後方向」と称する。また、＋Ｚ−Ｚ方向を「高さ方向」と称し、特に＋Ｚ方向を「上方向」、−Ｚ方向を「下方向」と称する。また、ＸＹ平面上にあり、幅方向（＋Ｘ−Ｘ方向）及び奥行き方向（＋Ｙ−Ｙ方向）に４５度の角度で交わる方向をそれぞれ＋Ｕ−Ｕ方向、＋Ｖ−Ｖ方向と称する。また、工事領域Ｅ１に近付く方を「内側」、非工事領域Ｅ２に近付く方を「外側」と称して説明する。なお、図１や図２では、仮囲い１の四隅の角部のうち一つのみを図示しているが、他の角部についても同様に構成できる。
【００２１】
ここで、本実施の形態において、「工事領域」Ｅ１とは、仮囲いパネル３及び背面パネル８よりも図１や図２における後方側（−Ｙ方向側）の空間を示す。また、「非工事領域」Ｅ２とは、仮囲いパネル３及びクリアパネル４よりも図１や図２における前方側（＋Ｙ方向側）の空間を示す。また、「展示領域」Ｅ３とは、天井パネル６、膳板パネル７、背面パネル８、及びクリアパネル４で囲われた空間を示す。また、屋根パネル５と天井パネル６の間の空間を、以下では必要に応じて「展示領域の上方空間」Ｅ４と称し、膳板パネル７と設置面の間の空間を、以下では必要に応じて「展示領域の下方空間」Ｅ５と称する。
【００２２】
（構成−下地材）
下地材２は、仮囲い１の骨組みをなす部材であり、パネルが固定される固定手段である。この下地材２は、例えば本実施の形態では公知の単管を複数組み合わせて構成されており、工事領域Ｅ１の敷地の設置面に公知の鋼管杭や鋼材等で固定されている。なお、単管の必要本数や径などは、単管に接続される各パネルの重さや面積等に応じて適宜決定してよい。
【００２３】
ここで、図２に示すように、本実施の形態に係る下地材２は、概略的に、外周部固定単管２１、背面パネル固定単管２２、上方支持単管２３、下方支持単管２４を備える。外周部固定単管２１は、仮囲いパネル３及びクリアパネル４を固定するための単管であり、複数配置されている。なお、図１では図示の便宜上、＋Ｕ−Ｕ方向に沿う３つの単管と、＋Ｖ−Ｖ方向に沿う３つの単管のみを図示しているが、これらに限らず、実際には上下（＋Ｚ−Ｚ方向）に沿う単管を設けてもよい。これらの図示した外周部固定単管２１は、仮囲いパネル３に沿って配置される主な部分と、クリアパネル４に沿って配置される突出部分（展示領域の上方空間Ｅ４に至るように突出している部分や、展示領域の下方空間Ｅ５に至るように突出している部分）を含む。そして、主な部分は仮囲いパネル３を支持しており、突出部分はそれぞれクリアパネル４を支持している。なお、本実施の形態では、主な部分と突出部分とを一つの単管として一体形成しているが、これらを相互に異なる部材で段違いに設置しても構わない。背面パネル固定単管２２は、背面パネル８を固定するための単管であり、背面パネル８に沿って配置される。上方支持単管２３は、天井パネル６を上方から支持する上方支持材であり、展示領域の上方空間Ｅ４に位置しており、その端部にて外周部固定単管２１に接続されている。また、上方支持単管２３は、天井パネル６だけでなく、屋根パネル５を支持してもよい。下方支持単管２４は、床パネル７を下方から支持する下方支持材であり、展示領域の下方空間Ｅ５に位置しており、その端部にて外周部固定単管２１に接続されている。なお、下地材２による各パネルの具体的な支持方法は任意で、例えば単管に取り付けた公知のＪフック３２に、パネルを引っ掛けてもよい。
【００２４】
（構成−仮囲いパネル）
仮囲いパネル３は、工事領域Ｅ１と非工事領域Ｅ２とを区画する区画手段である。この仮囲いパネル３は、本実施の形態では、仮囲い１の平坦部に、工事領域Ｅ１の周縁に沿って複数枚並設されている。なお、仮囲いパネル３の素材は、例えば工事領域Ｅ１が視認できないような不透過性の素材が好ましいが、このような素材に限らない。この仮囲いパネル３の両端部には折曲部３１が形成されている。そして、各仮囲いパネル３の折曲部３１を、隣接する他の仮囲いパネル３の折曲部３１に合わせた状態で、これらの折曲部３１をジョイント金具（図示省略）等でつなぐことで、仮囲いパネル３同士を接続できる。また、下地材２である単管に取り付けられたＪフック３２を当該折曲部３１に引っ掛けることで、下地材２に仮囲いパネル３を容易に取り付けることができる。なお、上述したような仮囲いパネル３同士の接続方法や、仮囲いパネル３を下地材２に取り付ける方法は一例に過ぎず、これに限定されない。
【００２５】
（構成−クリアパネル）
クリアパネル４は、展示領域Ｅ３と非工事領域Ｅ２とを相互に区画する展示区画材である。このクリアパネル４は、仮囲い１の角部に設けられており、本実施の形態では図２に示すように弧を描くように折り曲げられた形状をしている。ここで、図３は、右クリアパネル４１を示す図であって、図３（ａ）は平面図、図３（ｂ）は側面図である。図４は、左クリアパネル４２を示す図であって、図４（ａ）は平面図、図４（ｂ）は側面図である。これらの図３、図４に示すように、クリアパネル４は、概略的に、右クリアパネル４１と左クリアパネル４２を備えている。なお、これらはいずれも左右対称に形成できるので、以下では右クリアパネル４１のみについて説明し、このクリアパネル４の構成の説明において、特記しない限り「クリアパネル」４とは「右クリアパネル」４１を指す。
【００２６】
ここで、クリアパネル４は、概略的に、上Ｌアングル４３、下Ｌアングル４４、Ｊフック留め用金具４５、上方目隠しシート４６、下方目隠しシート４７、側方目隠しシート４８、及び接合部４９を備えている。
【００２７】
上Ｌアングル４３は、屋根パネル５を載置するための屋根パネル載置手段である。具体的には、この上Ｌアングル４３は、クリアパネル４の上端にリベット等で取り付けられた公知のＬアングルであり、一方の面が鉛直面に沿うように、かつ、他方の面が水平面に沿うように配置され、このうち水平面に沿う面の上に屋根パネル５が載置されて取り付けられる。下Ｌアングル４４は、膳板パネル７を載置するための膳板パネル載置手段である。具体的には、この下Ｌアングル４４は、クリアパネル４における下方目隠しシート４７の上端付近にリベット等で取り付けられた公知のＬアングルであり、一方の面が鉛直面に沿うように、かつ、他方の面が水平面に沿うように配置され、このうち水平面に沿う面の上に膳板パネル７が載置されて取り付けられる。
【００２８】
Ｊフック留め用金具４５は、クリアパネル４の上端付近及び下端付近に取り付けられた複数の鉛直部材であり、単管に取り付けられたＪフック３２を当該Ｊフック留め用金具４５に引っ掛けることで、クリアパネル４を単管に固定できる。
【００２９】
上方目隠しシート４６は、展示領域の上方空間Ｅ４が非工事領域Ｅ２から視認できないように目隠しするための上方目隠し手段であって、クリアパネル４の上部（展示領域の上方空間Ｅ４に対応する位置）の外側あるいは内側（又はこれらの両方でもよい）に張り付けられている不透明のシートである。下方目隠しシート４７は、展示領域の下方空間Ｅ５が非工事領域Ｅ２から視認できないように目隠しするための下方目隠し手段であって、クリアパネル４の下部（展示領域の下方空間Ｅ５に対応する位置）の外側あるいは内側（又はこれらの両方でもよい）に張り付けられている不透明のシートである。側方目隠しシート４８は、背面パネル８と仮囲いパネル３との隙間を非工事領域Ｅ２から視認できないように目隠しするための目隠し手段であって、各クリアパネル４の水平方向端部（接合部４９と反対側の端部）付近に、上下方向に沿って外側あるいは内側（又はこれらの両方でもよい）に張り付けられている不透明のシートである。このように、目隠しシートをクリアパネル４に張り付けることで、下地材２などが非工事領域Ｅ２から視認できてしまい美観を損なってしまうことを防止できる。なお、各目隠しシートは、例えば仮囲いパネル３と同一色とすることで仮囲いパネル３と一体感を持たせることができる。
【００３０】
接合部４９は、右クリアパネル４１と左クリアパネル４２とを相互に接合するための接合手段である。具体的には、クリアパネル４の側端部における展示領域Ｅ３側に向けて折り曲げられた部分であり、右クリアパネル４１の接合部４９と左クリアパネル４２の接合部４９とを合わせた状態で、これらをボルト等で相互に接合することにより、右クリアパネル４１と左クリアパネル４２とを相互に接合できる。なお、本実施の形態ではこのように右クリアパネル４１と左クリアパネル４２とを現場で接合するが、これらを予め一体の部材として形成しても構わない。
【００３１】
（構成−屋根パネル）
屋根パネル５は、仮囲い１の角部における屋根部分に設けられる屋根部材である。図５は、屋根パネル５を示す図であって、図５（ａ）は平面図、図５（ｂ）は側面図である。この図５に示すように、屋根パネル５は展示領域Ｅ３の形状に適合する略直角三角形状の平板であって、積雪等に耐えうる充分な強度を有し、雨天時等に展示領域Ｅ３に雨水が浸入してしまうことを防止する。この屋根パネル５には、図示のように外周部に沿って複数のボルト用孔５１、５２が設けられている。このボルト用孔５１の位置は、クリアパネル４に取り付けられた上Ｌアングル４３の位置と対応しており、また、ボルト用孔５２の位置は、背面パネル８の上端に取り付けられたＬアングル８８（後述する）の位置と対応しており、屋根パネル５を上Ｌアングル４３及びＬアングル８８に載せた状態で、ボルト用孔５１及び上Ｌアングル４３を介してボルトを挿通すると共に、ボルト用孔５２及びＬアングル８８を介してボルトを挿通することで、屋根パネル５を取り付けることができる。
【００３２】
（構成−天井パネル）
天井パネル６は、展示領域Ｅ３の上端に位置する上面材である。図６は、天井パネル６を示す図であって、図６（ａ）は平面図、図６（ｂ）は側面図である。この図６に示すように、この天井パネル６は、屋根パネル５より下方に配置されており、展示領域Ｅ３の上端を塞いでいる、展示領域Ｅ３の形状に適合する略直角三角形状の平板である。この天井パネル６により、非工事領域Ｅ２から、展示領域の上方空間Ｅ４が見えなくなり、美観が向上する。なお、天井パネル６の取付方法は任意であるが、本実施の形態では展示領域の上方空間Ｅ４に位置する上方支持単管２３が天井パネル６を上方から支持しており、具体的には、上方支持単管２３に対して天井パネル６を吊り下げて取り付けている。ただし、このような取付方法に限らず、例えば、クリアパネル４に図示しないＬアングルを取り付けて、このＬアングルに天井パネル６を載置してもよい。なお、天井パネル６のコーナーの部分（仮囲い１の角部に対応する部分）には、クリアパネル４の接合部４９が収まる切り欠き６１が設けられている。
【００３３】
ここで、天井パネル６には、展示対象物を吊るして展示できるような工夫を施してもよく、例えば天井パネル６に吊るす用のフックを取り付けてもよいし、図６に示すように天井パネル６を細かいメッシュ状に形成し、このメッシュにフックを引っ掛けて吊るしてもよい。なお、天井パネル６をメッシュ状とする場合には、非工事領域Ｅ２から展示領域の上方空間Ｅ４が見えないように、メッシュ網目幅を調整することが好ましい。
【００３４】
（構成−床パネル）
膳板パネル７は、展示領域Ｅ３の下端に位置する下面材である。図７は、膳板パネル７を示す図であって、図７（ａ）は平面図、図７（ｂ）は側面図である。この図７に示すように、膳板パネル７は展示領域Ｅ３の形状に適合する略直角三角形状の平板であって、展示対象物を載置可能な程度の充分な強度を有する。ここで、この膳板パネル７は、展示領域Ｅ３の下端に配置されているため、展示領域の下方空間Ｅ５が非工事領域Ｅ２から視認不可能となり美観が向上する。なお、膳板パネル７のコーナーの部分（仮囲い１の角部に対応する部分）には、クリアパネル４の接合部４９が収まる切り欠き７１が設けられている。
【００３５】
（構成−背面パネル）
背面パネル８は、工事領域Ｅ１と展示領域Ｅ３とを区画する背面材である。この背面パネル８は、展示領域Ｅ３、展示領域の上方空間Ｅ４、及び展示領域の下方空間Ｅ５（以下、展示領域Ｅ３等）を後方から覆うように上下方向に通しで配置されている。図８は、背面パネル８を示す正面図であって、図８（ａ）は左背面パネル８１、図８（ｂ）は中央背面パネル８２、図８（ｃ）は右背面パネル８３を示している。この図８に示すように、この背面パネル８は、左背面パネル８１、中央背面パネル８２、及び右背面パネル８３を備えている。
【００３６】
左背面パネル８１は、展示領域Ｅ３等の後方における左方に配置されており、正面視において略長方形上の平板である。この左背面パネル８１の上端には上切り欠き８４が形成され、下端には下切り欠き８５が形成されている。この上切り欠き８４は、左背面パネル８１が、天井パネル６を吊り下げるための下地材２（上方支持単管２３）と干渉しないようにするための切り欠きであり、下切り欠き８５は、左背面パネル８１が、膳板パネル７を取り付けるための下地材２（下方支持単管２４）と干渉しないようにするための切り欠きである。下地材２にクリアパネル４を固定した後、上切り欠き８４及び下切り欠き８５における下地材２との隙間を遮蔽板８４ａ、８５ａで塞いで、雨天時等に展示領域Ｅ３に雨水が浸入してしまうことを防止する。この遮蔽板８４ａ、８５ａは、それぞれ上切り欠き８４及び下切り欠き８５より一回り大きい長板であり、上切り欠き８４、下切り欠き８５の後方から覆うように当てられて、例えばマジックテープ（登録商標）等により取り付けられている。
【００３７】
中央背面パネル８２は、展示領域Ｅ３等の後方における中央に配置されており、正面視において略長方形上の平板である。この中央背面パネル８２の上下方向略中央部には、開口部８６が設けられている。この開口部８６は、展示領域Ｅ３と工事領域Ｅ１を空間的に連通させるための開口であり、上下２か所に形成されており、いずれも長方形状である。ただし、開口部８６の数や形状はこれに限らない。工事領域Ｅ１からこの開口部８６を介して展示領域Ｅ３にアクセスでき、展示領域Ｅ３に容易に展示対象物を設置できる。
【００３８】
ここで、開口部８６の後方には遮蔽板８７が設けられている。この遮蔽板８７は、開口部８６を開閉する開閉手段である。この遮蔽板８７は、開口部８６より一回り大きい長板であり、開口部８６の後方から開口部８６を覆うように当てられて、例えばマジックテープ（登録商標）等により取り付けられている。したがって、展示対象物を配置する際は遮蔽板８７を外し、配置が終えたら遮蔽板８７を取り付けることで、開口部８６を塞ぐことができる。なお、遮蔽板８７の取り付け方法はマジックテープ（登録商標）に限らず、例えばヒンジ等で中央背面パネル８２に回動可能に取り付けてもよい。または、背面パネル８自体を着脱式または回動式の開閉手段としてもよい。また、開閉手段は中央背面パネル８２だけでなく、左背面パネル８１や右背面パネル８３、又はこれらのいずれか２つ以上のパネルに設けても構わない。
【００３９】
右背面パネル８３は、展示領域Ｅ３等の後方における右方に配置されており、正面視において略長方形上の平板である。なお、右背面パネル８３は、左背面パネル８１と左右対称に形成できるので、詳細な説明を省略する。なお、本実施の形態ではこのように背面パネル８を左背面パネル８１、中央背面パネル８２、及び右背面パネル８３に３分割して構成したが、これらを一体形成しても構わない。また、各背面パネル８の上端にはＬアングル８８が設けられており、これらのＬアングル８８の上面には屋根パネル５が載置されて取り付けられている。
【００４０】
（作用）
続いて、本実施の形態に係る仮囲い１の作用について、図２を適宜参照して説明する。まず、本実施の形態に係る仮囲い１は、上述した遮蔽板８７を取り外して展示領域Ｅ３の内部にアクセスすることで展示領域Ｅ３に展示対象物を配置でき、仮囲い１の美観が向上する。なお、展示対象物として工事中の建築物の完成予想図や模型等を設置すれば、情報提供による近隣住民に対する工事への理解も促進する。なお、展示対象物の形状、大きさ、素材は、後述するような展示領域Ｅ３を介する視界の確保を考慮した上で決めることが好ましく、例えば展示対象物が展示領域Ｅ３の全領域を覆う程度に大きいと視界を確保できない可能性があり好ましくない。
【００４１】
また、本実施の形態に係る仮囲い１は、展示領域Ｅ３を、仮囲い１の角部の位置に、仮囲い１に沿った非工事領域Ｅ２の見通しを確保可能となるように設けている。ここで、「仮囲い１に沿った非工事領域Ｅ２の見通し」とは、非工事領域Ｅ２における仮囲い１沿いにある一の地点から他の地点への見通しであり、例えば図２に示すように、展示領域Ｅ３の左方の仮囲いパネル３付近の地点Ｐ１から、右方の仮囲いパネル３付近の地点Ｐ２への見通しである。本実施の形態では、展示領域Ｅ３と非工事領域Ｅ２とを区画しているものが透過性の高いクリアパネル４であるため、展示領域Ｅ３越しに地点Ｐ１と地点Ｐ２との相互間の視界を確保できている。したがって、地点Ｐ１に居る人は地点Ｐ２に居る人や車両を視認可能であり、同様に、地点Ｐ２に居る人は地点Ｐ１に居る人や車両を視認可能であり、交通災害を防止できる。また、展示領域Ｅ３に展示対象物が在る場合、地点Ｐ１に居る人の視点を展示領域Ｅ３の方（すなわち、地点Ｐ２がある方）に向けることができ、同様に、地点Ｐ２に居る人の視点を展示領域Ｅ３の方（すなわち、地点Ｐ１がある方）に向けることができ、展示領域Ｅ３を挟んで向こう側にいる人や車両の存在にも気付き易くなる。
【００４２】
なお、視界確保の必要性が低い箇所（例えば、クリアパネル４の天井パネル６付近や膳板パネル７付近）には、見通しを低下させる構成を採用してもよい。例えば、クリアパネル４の天井パネル６付近に、美観を向上させる半透明のシールなどを貼り付けてもよい。
【００４３】
（実施の形態の効果）
このように、本実施の形態の仮囲い１によれば、仮囲い１に沿った見通しを確保しつつ、展示領域Ｅ３を備えるので、歩行者や車両の見通し確保により交通災害を防止でき、かつ展示による美観の向上を図ることができると共に、展示領域Ｅ３に展示対象物を配置することで付加価値を得ることができる。
【００４４】
また、クリアパネル４が透過性を有するので、クリアパネル４及び展示領域Ｅ３を介して、展示領域Ｅ３を挟む２地点間（地点Ｐ１及び地点Ｐ２間）の見通しを好適に確保できる。
【００４５】
また、背面パネル８に開口部８６を備えるので、工事領域Ｅ１から展示領域Ｅ３にアクセス可能となり、展示対象物の搬出や搬入を容易に行うことができる。
【００４６】
また、膳板パネル７を下方から支持する下方支持単管２４と、天井パネル６を上方から支持する上方支持単管２３を備えるので、下方支持単管２４及び上方支持単管２３がそれぞれ膳板パネル７及び天井パネル６によって展示領域Ｅ３側に露出せず、全体的な美観が向上する。
【００４７】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４８】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００４９】
（寸法や材料について）
発明の詳細な説明や図面で説明した仮囲い１の各部の寸法、形状、材料、比率等は、あくまで例示であり、その他の任意の寸法、形状、材料、比率等とすることができる。
【００５０】
（展示領域について）
本実施の形態では、展示領域Ｅ３を仮囲い１の直角の角部に配置したが、これに限らない。図９は、第１の変形例に係る仮囲い１００の角部周辺を示す平面図である。この図９に示すように、展示領域Ｅ３を鈍角の角部に配置しても構わない。この場合でも、実施の形態と同様に、地点Ｐ１、Ｐ２間の見通しを確保できる。なお、図示は省略するが展示領域Ｅ３を鋭角の角部に配置しても当然構わない。また、図１０は、第２の変形例に係る仮囲い２００の平坦部を示す平面図である。この図１０に示すように、展示領域Ｅ３を仮囲い２００の平坦部に配置しても構わない。この場合には、地点Ｐ１、Ｐ２間に見通しを阻害する部材が存在しないので、地点Ｐ１、Ｐ２間の見通しを確保できる。
【００５１】
（視界の確保について）
本実施の形態では、クリアパネル４を設けることにより、展示領域Ｅ３を、仮囲い１に沿った非工事領域Ｅ２の見通しを確保したが、これに限らない。図１１は、第３の変形例に係る仮囲い３００の角部周辺を示す平面図である。この第３の変形例に係る仮囲い３００は、右カメラ３１０、左カメラ３２０、右ディスプレイ３３０、左ディスプレイ３４０を備える。右カメラ３１０は、仮囲い３００の角部の右方に配置されており、仮囲い３００の角部の右方を撮影する右方撮影手段である。左カメラ３２０は、仮囲い３００の角部の左方に配置されており、仮囲い３００の角部の左方を撮影する左方撮影手段である。右ディスプレイ３３０は、展示領域Ｅ３（当該第３の変形例では、仮囲いパネル３の表面）に配置される展示対象物であって、左カメラ３２０にて撮影された映像を表示する左表示手段である。左ディスプレイ３４０は、展示領域Ｅ３に配置される展示対象物であって、右カメラ３１０にて撮影された映像を表示する右表示手段である。なお、右ディスプレイ３３０や左ディスプレイ３４０は、仮囲いパネル３に掛けられていてもよいし、仮囲いパネル３に設けられた開口に埋め込まれていてもよい。
【００５２】
このように第３の変形例では、ディスプレイ及びカメラを使用することにより、仮囲い３００に沿った非工事領域Ｅ２の見通しを確保する。すなわち、右ディスプレイ３３０には左カメラ３２０で撮影されている映像が表示されるので、地点Ｐ２に居る人は、この右ディスプレイ３３０を見ることで、地点Ｐ１に居る人や車両を視認可能であり、交通災害を防止できる。同様に、左ディスプレイ３４０には右カメラ３１０で撮影されている映像が表示されるので、地点Ｐ１に居る人は、この左ディスプレイ３４０を見ることで、地点Ｐ２に居る人や車両を視認可能であり、交通災害を防止できる。また、各ディスプレイは、展示対象物としても機能する。すなわち、ディスプレイの一部に撮影映像を表示すると共に、ディスプレイのその他の部分に撮影映像以外のもの（例えば、上述したような季節を感じさせるものや、工事に関する情報など）を表示することにより、ディスプレイが展示対象物としても機能する。
【００５３】
（付記）
付記１の仮囲いは、工事の対象である工事領域と、前記工事の対象でない非工事領域とを相互に区画する仮囲いであり、前記非工事領域から視認可能な展示領域を備え、前記展示領域を、仮囲いの角部、又は仮囲いの平坦部の位置に、仮囲いに沿った前記非工事領域の見通しを確保可能となるように設けた。
【００５４】
付記２の仮囲いは、付記１に記載の仮囲いにおいて、前記展示領域と前記非工事領域とを相互に区画する展示区画材を備え、前記展示区画材が透過性を有することにより、当該展示区画材及び展示領域を介して、仮囲いに沿った前記非工事領域の見通しを確保可能とした。
【００５５】
付記３の仮囲いは、付記１又は２に記載の仮囲いにおいて、前記工事領域と前記展示領域とを区画する背面材であって、開閉手段を有する背面材を備える。
【００５６】
付記４の仮囲いは、付記１から３のいずれか一項に記載の仮囲いにおいて、前記展示領域の下端に位置する下面材と、前記展示領域の上端に位置する上面材と、前記下面材を下方から支持する下方支持材と、前記上面材を上方から支持する上方支持材と、を備える。
【００５７】
（付記の効果）
付記１に記載の仮囲いによれば、仮囲いに沿った見通しを確保しつつ、展示領域を備えるので、歩行者や車両の見通し確保により交通災害を防止でき、かつ展示による美観の向上を図ることができると共に、展示領域に展示対象物を配置することで付加価値を得ることができる。
【００５８】
付記２に記載の仮囲いによれば、展示区画材が透過性を有するので、展示区画材及び展示領域を介して、展示領域を挟む２地点間の見通しを好適に確保できる。
【００５９】
付記３に記載の仮囲いによれば、背面材に開閉手段を備えるので、工事領域から展示領域にアクセス可能となり、展示対象物の搬出や搬入を容易に行うことができる。
【００６０】
付記４に記載の仮囲いによれば、下面材を下方から支持する下方支持材と、上面材を上方から支持する上方支持材を備えるので、下方支持材及び上方支持材がそれぞれ下面材及び上面材によって展示領域側に露出せず、全体的な美観が向上する。
【符号の説明】
【００６１】
１  仮囲い
２  下地材
３  仮囲いパネル
４  クリアパネル
５  屋根パネル
６  天井パネル
７  膳板パネル
８  背面パネル
２１  外周部固定単管
２２  背面パネル固定単管
２３  上方支持単管
２４  下方支持単管
３１  折曲部
３２  Ｊフック
４１  右クリアパネル
４２  左クリアパネル
４３  上Ｌアングル
４４  下Ｌアングル
４５  Ｊフック留め用金具
４６  上方目隠しシート
４７  下方目隠しシート
４８  側方目隠しシート
４９  接合部
５１  ボルト用孔
５２  ボルト用孔
６１、７１  切り欠き
８１  左背面パネル
８２  中央背面パネル
８３  右背面パネル
８４  上切り欠き
８４ａ  遮蔽板
８５  下切り欠き
８５ａ  遮蔽板
８６  開口部
８７  遮蔽板
８８  Ｌアングル
１００、２００、３００  仮囲い
３１０  右カメラ
３２０  左カメラ
３３０  右ディスプレイ
３４０  左ディスプレイ
Ｅ１  工事領域
Ｅ２  非工事領域
Ｅ３  展示領域
Ｅ４  展示領域の上方空間
Ｅ５  展示領域の下方空間
Ｐ１、Ｐ２  地点
【図１】
2018111931.tif 000003
【図２】
2018111931.tif 000004
【図３】
2018111931.tif 000005
【図４】
2018111931.tif 000006
【図５】
2018111931.tif 000007
【図６】
2018111931.tif 000008
【図７】
2018111931.tif 000009
【図８】
2018111931.tif 000010
【図９】
2018111931.tif 000011
【図１０】
2018111931.tif 000012
【図１１】
2018111931.tif 000013